(57)【要約】  【課題】下階に足場を設置する必要が無く、上階側からのみの作業で型枠を設置できるようにしたダクト貫通部の処理構造を提供する。  【解決手段】床版Ｆのダクト貫通予定部位に予め前記角形ダクト２の口径よりも大きな角形スリーブ１を埋設固定しておき、前記角形ダクト２を貫通させた状態で、前記角形ダクト２と角形スリーブ１との間の隙間寸法に対応する幅寸法とされ、かつ左右両側の掛止部３ａ、３ａと、これら掛止部３ａ、３ａから垂下する垂下部３ｂ、３ｂと、垂下部３ｂ、３ｂの下端部同士を連結する底板部３ｃとからなる略コ字状に成形された隙間封鎖材３を持ち込み、前記角形ダクト２の周囲に形成された各辺毎の隙間部Ｍに対して、前記隙間封鎖材３の掛止部３ａを前記角形スリーブ１の上縁に掛止させた状態で設置することにより各辺の隙間Ｍを封鎖し、前記隙間部Ｍに無機質系繊維材又はモルタルを充填する。【選択図】図４
2006193937.tif 000002
【特許請求の範囲】
【請求項１】
床版を貫通して縦方向に角形ダクトを配設したダクト貫通部の処理構造であって、
前記床版のダクト貫通予定部位に予め前記角形ダクトの口径よりも大きな角形スリーブを埋設固定しておき、前記角形スリーブの略中心に角形ダクトを貫通させた状態で、前記角形ダクトと角形スリーブとの間の隙間寸法に対応する幅寸法とされ、かつ左右両側の掛止部と、これら掛止部から垂下する垂下部と、垂下部の下端部同士を連結する底板部とからなる略コ字状に成形された隙間封鎖材を持ち込み、前記角形ダクトの周囲に形成された各辺毎の隙間部に対して、前記隙間封鎖材の掛止部を前記角形スリーブの上縁に掛止させた状態で設置することにより各辺毎の隙間を封鎖し、前記隙間部に無機質系繊維材又はモルタルを充填したことを特徴とするダクト貫通部の処理構造。
【請求項２】
前記角形ダクトは上縁部に周方向に亘る鍔フランジが形成され、前記隙間封鎖材の掛止部を前記鍔フランジに載置させた後、前記掛止部を鍔フランジにビス止めする請求項１記載のダクト貫通部の処理構造。
【請求項３】
前記無機質系繊維材はロックウール、グラスウールのいずれかとする請求項１、２いずれかに記載のダクト貫通部の処理構造。
【発明の詳細な説明】
【技術分野】
【０００１】
本発明は、床版又は壁を貫通するように設置されたダクトの貫通部処理構造に関する。
【背景技術】
【０００２】
一般のビル構造物においては、床を貫通して上下階方向に竪ダクトを配設することが行われる。従来は、図５に示されるように、床版Ｆを貫通するようにダクト５１を配設する場合は、予め床版Ｆの打設施工時にスリーブ５０を床版Ｆに埋設固定しておき、ダクト５１を前記スリーブ５０に貫通させた状態で、下版下面に型枠５２を設置してダクト５１とスリーブ５０との隙間Ｍを封鎖した後、上方側から前記隙間Ｍに、ロックウール５３を充填したり、場合によってはモルタルを充填するようにしている（例えば、下記特許文献１等参照）。
【特許文献１】特開２０００−６５２５１号公報
【発明の開示】
【発明が解決しようとする課題】
【０００３】
しかしながら、上記従来法によるダクト貫通部構造の場合には、床版下面に型枠５２を固定配置するために下階側に足場を組む必要があった。そのため、作業に手間が掛かり施工を効率的に行うことができないとともに、前記型枠５２が剥がれたり、型枠５２を止めているビス等が振動や経年劣化により脱落することがあるなどの問題ががあった。
そこで本発明の主たる課題は、下階に足場を設置する必要が無く、上階側からのみの作業で型枠を設置でき、かつ将来に亘り前記型枠の脱落のおそれがないダクト貫通部の処理構造を提供することにある。
【課題を解決するための手段】
【０００４】
前記課題を解決するために請求項１に係る本発明として、床版を貫通して縦方向に角形ダクトを配設したダクト貫通部の処理構造であって、
前記床版のダクト貫通予定部位に予め前記角形ダクトの口径よりも大きな角形スリーブを埋設固定しておき、前記角形スリーブの略中心に角形ダクトを貫通させた状態で、前記角形ダクトと角形スリーブとの間の隙間寸法に対応する幅寸法とされ、かつ左右両側の掛止部と、これら掛止部から垂下する垂下部と、垂下部の下端部同士を連結する底板部とからなる略コ字状に成形された隙間封鎖材を持ち込み、前記角形ダクトの周囲に形成された各辺毎の隙間部に対して、前記隙間封鎖材の掛止部を前記角形スリーブの上縁に掛止させた状態で設置することにより各辺毎の隙間を封鎖し、前記隙間部に無機質系繊維材又はモルタルを充填したことを特徴とするダクト貫通部の処理構造が提供される。
【０００５】
上記請求項１記載の本発明においては、角形ダクト周囲の隙間を封鎖するに当たり、隙間寸法に対応する幅寸法とされ、かつ左右両側の掛止部と、これら掛止部から垂下する垂下部と、垂下部の下端部同士を連結する底板部とからなる略コ字状に成形された隙間封鎖材を持ち込み、４辺の隙間を前記隙間封鎖材によって封鎖するようにした。この隙間封鎖材は、上方側から挿入し、掛止部を角形スリーブの上縁部に掛止することにより設置可能であるため、下階に足場を設置する必要が無く、上階側からのみの作業で型枠を設置できるようになる。また、将来に亘り前記型枠の脱落のおそれがないものとできる。
【０００６】
請求項２に係る本発明として、前記角形ダクトは上縁部に周方向に亘る鍔フランジが形成され、前記隙間封鎖材の掛止部を前記鍔フランジに載置させた後、前記掛止部を鍔フランジにビス止めする請求項１記載のダクト貫通部の処理構造が提供される。
【０００７】
上記請求項２記載の本発明においては、角形ダクトは上縁部に周方向に亘る鍔フランジが形成され、前記隙間封鎖材の掛止部を前記鍔フランジに載置させた後、前記掛止部を鍔フランジにビス止めするようにする。上記構造を採用することによって、前記隙間封鎖材を角形スリーブに堅固に固定することが可能となる。
【０００８】
請求項３に係る本発明として、前記無機質系繊維材はロックウール、グラスウールのいずれかとする請求項１、２いずれかに記載のダクト貫通部の処理構造が提供される。
【発明の効果】
【０００９】
以上詳説のとおり本発明によれば、下階に足場を設置する必要が無く、上階側からのみの作業で型枠（隙間封鎖材）を設置できるため、ダクト貫通部の処理を省力化でき、作業を効率的に行うことができる。また、将来に亘り前記型枠の脱落のおそれがないものとなる。
【発明を実施するための最良の形態】
【００１０】
以下、本発明の実施の形態について図面を参照しながら詳述する。
図１は本発明に係るダクト貫通部の縦断面図であり、図２は図１のII−II線矢視図（充填材省略）である。
【００１１】
図１において、床版Ｆのダクト貫通部位には、予め角形スリーブ１が埋設固定される。この角形スリーブ１は、貫通する角形ダクト２の口径よりも大きな開口サイズとされるとともに、図２にも示されるように、上縁部には周方向に亘って鍔フランジ１ａが形成されている。また、外面側にアンカー材１ｂ、１ｂ…が設けられ、床版Ｆの打設時にダクト貫通部位に据え付けられ、床版Ｆに対して堅固に固定される。
【００１２】
その後、ダクト工事時に角形スリーブ１の略中心に角形ダクト２を貫通させた状態では、角形ダクト２の周囲に亘り、角形スリーブ１との間に所定幅の隙間Ｍが形成されるようになっている。
【００１３】
本発明では、前記隙間Ｍを封鎖するための部材として、図２に示されるように、略コ字状を成す隙間封鎖材３が使用される。
【００１４】
この隙間封鎖材３は、ほぼ前記角形ダクト２と角形スリーブ１との間の隙間寸法に対応する幅寸法とされ、かつ左右両側の掛止部３ａ、３ａと、これら掛止部３ａ、３ａから垂下する垂下部３ｂ、３ｂと、垂下部３ｂ、３ｂの下端部同士を連結する底板部３ｃとから構成される部材である。前記掛止部３ａにはビス孔が形成されているとともに、前記垂下部３ｂの長さ寸法はほぼ前記角形スリーブ１の高さ寸法以内とされ、前記底板部３ｃの長さ寸法はほぼ角形スリーブ１の開口辺長とされる。
【００１５】
先ず、図３に示されるように、角形ダクト２の周囲に形成されている隙間Ｍの内、対辺の関係にある隙間Ｍ、Ｍに対して、それぞれ前記隙間封鎖材３を設置し底板部３ｃにより隙間Ｍ、Ｍを封鎖する。設置は、隙間封鎖材３を隙間Ｍに上方側から挿入し、掛止部３ａ、３ａを角形スリーブ１の鍔フランジ１ａ、１ａに載置し、該掛止部３ａを鍔フランジ１ａにビス４，４により固定する。
【００１６】
次に、図４に示されるように、残り２辺の隙間Ｍ、Ｍに対して、同様の要領により、隙間封鎖材３を設置し、底板部３ｃにより隙間Ｍ、Ｍを封鎖するようにする。なお、隙間封鎖材３として、先に設置した対向２辺の隙間封鎖材３と同寸法の隙間封鎖材３を用いた場合には、掛止部３ａ、３ａを角形スリーブ１の鍔フランジ１ａ、１ａにビス固定するに当たり、掛止部３ａと鍔フランジ１ａとの間に厚み分に相当するライナー材を介在するのが望ましい。
【００１７】
前記４つの隙間封鎖材３，３…により角形ダクト２周囲の隙間Ｍが封鎖されたならば、該隙間Ｍに無機質系繊維材又はモルタルを充填し施工を完了する。
なお、前記無機質系繊維材としては、一般的に使用されているロックウール、グラスウールのいずれかとすることができる。また、モルタルを充填する場合には、隙間封鎖材３とこれに隣接する部材との間に生じている僅かの隙間を封鎖するため、封鎖テープを貼設するか、シーリング材を施工するのが望ましい。
【００１８】
〔他の形態例〕
(1)上記形態例では、床版Ｆを貫通する竪ダクトの貫通部処理構造について述べたが、本発明は壁材を貫通する横ダクトに対して同様の要領により適用することが可能である。
(2)上記形態例では、充填材として無機質系繊維材又はモルタルを用いたが、樹脂発泡材（例えば、発泡スチレン等）を使用することが可能である。
【図面の簡単な説明】
【００１９】
【図１】本発明に係るダクト貫通部の縦断面図である。
【図２】図１のII−II線矢視図である（充填材省略）。
【図３】施工手順（その１）である。
【図４】施工手順（その２）である。
【図５】従来のダクト貫通部の縦断面図である。
【符号の説明】
【００２０】
１…角形スリーブ、１ａ…鍔フランジ、２…角形ダクト、３…隙間封鎖材、３ａ…掛止部、３ｂ…垂下部、３ｃ…底板部、４…ビス
【図１】
2006193937.tif 000003
【図２】
2006193937.tif 000004
【図３】
2006193937.tif 000005
【図４】
2006193937.tif 000006
【図５】
2006193937.tif 000007